(57)【要約】【課題】ケースが落下した場合や、ケースが設置部に設置された状態においてケースに加わる力が、ケース内の部品に伝達されにくい構造の脚部を有した脚部付きケース等を提供する。【解決手段】ケース２と、前記ケース２を支持する脚部３と、前記脚部３の状態を設定する脚部設定手段４と、を備えた脚部付きケース１であって、前記脚部３は、前記ケース２の下面５よりもケースの外側に突出する状態と前記ケース２の内側に位置されてケース２の下面５よりもケースの外側に突出しない状態とに可変可能に設けられた剛脚８と、前記ケース２の下面５に固定されて前記剛脚よりも剛性の低い柔脚９と、を備え、前記脚部設定手段４は、前記剛脚８を前記ケース２の下面５よりもケースの外側に突出する状態と前記ケース２の内側に位置されてケース２の下面５よりもケースの外側に突出しない状態とに設定することを特徴とする。【選択図】図３
2012166416.tif 000002
【特許請求の範囲】
【請求項１】
ケースと、前記ケースを支持する脚部と、前記脚部の状態を設定する脚部設定手段と、を備えた脚部付きケースであって、
前記脚部は、前記ケースの下面よりもケースの外側に突出する状態と前記ケースの内側に位置されてケースの下面よりもケースの外側に突出しない状態とに可変可能に設けられた剛脚と、前記ケースの下面に固定されて前記剛脚よりも剛性の低い柔脚と、を備え、
前記脚部設定手段は、前記剛脚を前記ケースの下面よりもケースの外側に突出する状態と前記ケースの内側に位置されてケースの下面よりもケースの外側に突出しない状態とに設定することを特徴とする脚部付きケース。
【請求項２】
前記脚部設定手段は、
前記ケースの下面とケース内の底面とを貫通するように形成された剛脚出入用貫通孔と、
前記剛脚を前記ケースの下面よりもケースの外側に突出させない剛脚非動作状態に保持する剛脚引張手段と、
前記剛脚を前記剛脚引張手段に抗して押下げることにより、前記剛脚の下面が前記剛脚出入用貫通孔を通過して設置部と接触しかつ前記剛脚の一部が前記ケースと接触する剛脚動作状態に剛脚を設定する剛脚設定手段と、
前記ケースに設けられた開閉体の開動作に連動して前記剛脚設定手段を押圧することにより前記剛脚が前記剛脚動作状態となるように前記剛脚設定手段を動作させる押圧手段と、
前記剛脚設定手段と連結され、前記開閉体が開いた状態からの前記開閉体の閉動作の開始から所定時間の間、前記剛脚が前記剛脚動作状態を維持するように前記剛脚設定手段の状態を維持させる遅延設定手段と、
を備えたことを特徴とする請求項１に記載の脚部付きケース。
【請求項３】
請求項１又は請求項２に記載の脚部付きケースと、脚部付きケースの内側に取付けられた印刷ヘッドとを備え、
前記剛脚が前記印刷ヘッドの移動経路の下に位置するように設けられたことを特徴とする記録装置。
【請求項４】
請求項１又は請求項２に記載の脚部付きケースと、脚部付きケースの内側に取付けられた印刷ヘッドとを備え、
前記剛脚が前記印刷ヘッドの非印刷時の停止位置の下に位置するように設けられたことを特徴とする記録装置。
【請求項５】
請求項１又は請求項２に記載の脚部付きケースを備えたことを特徴とする電子機器。
【発明の詳細な説明】
【技術分野】
【０００１】
本発明は、底面に脚部を備えた脚部付きケース等に関する。
【背景技術】
【０００２】
ケースの落下時の衝撃、即ち、ケースに対して下から力が加わった場合に当該力を吸収してケースへの衝撃を緩和する構造の脚部を有した脚部付きケースを備えた記録装置としてのプリンターが知られている。
【先行技術文献】
【特許文献】
【０００３】
【特許文献１】特開２００６−１１６８５０号公報
【発明の概要】
【発明が解決しようとする課題】
【０００４】
上述した従来の脚部付きケースによれば、落下時の衝撃は緩和されるが、ケースが設置部に設置された状態において外部からケースに力が加わった場合、ケース内に取付けられた部品に力が伝達されてしまう。例えば、上述した脚部付きケースを備えたプリンターにおいては、ケースが設置部に設置された状態において外部からケースに力が加わった場合、当該力が印刷ヘッドに伝達され、印刷ヘッドに設けられたノズルからインク滴が漏出してノズルのメニスカスが崩れることがあり、メニスカスが崩れた状態で次に印刷が行われた場合、漏出したインク滴の分だけ記録されるべきドットにインク滴が吐出されず、ドットが形成されないドット抜けという現象が生じるおそれがある。
即ち、従来の脚部付きケースによれば、設置部に設置された状態において外部からケースに力が加わると、脚部が振動してしまい、当該力が設置部に逃げずにケース内に取付けられた部品に伝達されてしまうという課題があった。
本発明は、ケースが落下した場合や、ケースが設置部に設置された状態においてケースに加わる力が、ケース内の部品に伝達されにくい構造の脚部を有した脚部付きケース等を提供する。
【課題を解決するための手段】
【０００５】
本発明に係る脚部付きケースは、ケースと、前記ケースを支持する脚部と、前記脚部の状態を設定する脚部設定手段と、を備えた脚部付きケースであって、前記脚部は、前記ケースの下面よりもケースの外側に突出する状態と前記ケースの内側に位置されてケースの下面よりもケースの外側に突出しない状態とに可変可能に設けられた剛脚と、前記ケースの下面に固定されて前記剛脚よりも剛性の低い柔脚と、を備え、前記脚部設定手段は、前記剛脚を前記ケースの下面よりもケースの外側に突出する状態と前記ケースの内側に位置されてケースの下面よりもケースの外側に突出しない状態とに設定するので、ケースが落下した場合に受ける力や、ケースが設置部に設置された状態においてケースに加わる力が、ケース内の部品に伝達されにくくなる。
前記脚部設定手段は、前記ケースの下面とケース内の底面とを貫通するように形成された剛脚出入用貫通孔と、前記剛脚を前記ケースの下面よりもケースの外側に突出させない剛脚非動作状態に保持する剛脚引張手段と、前記剛脚を前記剛脚引張手段に抗して押下げることにより、前記剛脚の下面が前記剛脚出入用貫通孔を通過して設置部と接触しかつ前記剛脚の一部が前記ケースと接触する剛脚動作状態に剛脚を設定する剛脚設定手段と、前記ケースに設けられた開閉体の開動作に連動して前記剛脚設定手段を押圧することにより前記剛脚が前記剛脚動作状態となるように前記剛脚設定手段を動作させる押圧手段と、前記剛脚設定手段と連結され、前記開閉体が開いた状態からの前記開閉体の閉動作の開始から所定時間の間、前記剛脚が前記剛脚動作状態を維持するように前記剛脚設定手段の状態を維持させる遅延設定手段と、を備えたので、開閉体を閉じた際にケースに加わる力が剛脚を介して設置部に伝達されるので、開閉体を閉じた際にケースに加わる力がケース内の部品に伝達されにくくなる。
本発明に係る記録装置は、前記脚部付きケースと、脚部付きケースの内側に取付けられた印刷ヘッドとを備え、前記剛脚が前記印刷ヘッドの移動経路の下に位置するように設けられたので、ケースに加わる力を移動経路を移動する印刷ヘッドの位置に近い位置において剛脚を介して設置部に逃すことができ、印刷ヘッドの位置に近い位置のケースの変形を抑えることができるので、印刷ヘッドが動いてしまうことを効果的に防止できるようになり、印刷ヘッドのドット抜け防止効果を高めることができる。
本発明に係る記録装置は、前記脚部付きケースと、脚部付きケースの内側に取付けられた印刷ヘッドとを備え、前記剛脚が前記印刷ヘッドの非印刷時の停止位置の下に位置するように設けられたので、ケースに加わる力を停止している印刷ヘッドの位置に近い位置において剛脚を介して設置部に逃すことができ、印刷ヘッドの位置に近い位置のケースの変形を抑えることができるので、印刷ヘッドが動いてしまうことを効果的に防止できるようになり、印刷ヘッドのドット抜け防止効果を高めることができる。
本発明に係る電子機器は、前記脚部付きケースを備えたので、ケースが落下した場合に受ける力や、ケースが設置部に設置された状態においてケースに加わる力が、ケース内の部品に伝達されにくくなる。
【図面の簡単な説明】
【０００６】
【図１】脚部付きケースを備えたプリンターの断面図（実施形態１）。
【図２】（ａ）はプリンターの脚部設定手段を示す斜視図、（ｂ）はプリンターのケースの下面を見た図（実施形態１）。
【図３】脚部設定手段の動作説明図（実施形態１）。
【発明を実施するための形態】
【０００７】
以下、発明の実施形態を通じて本発明を詳説するが、以下の実施形態は特許請求の範囲に係る発明を限定するものではなく、また実施形態の中で説明される特徴の組合せのすべてが発明の解決手段に必須であるとは限らず、選択的に採用される構成を含むものである。
【０００８】
実施形態１
図１に示すように、実施形態１の脚部付きケース１を備えた記録装置としてのプリンター３０は、脚部付きケース１のケース２の内側に、プリンター機能構成部品としてのキャリッジ機構３１、図外の印刷対象物搬送機構、その他のプリンター機能構成部品が取付けられ、かつ、開閉体３２がヒンジ３３を介して開閉可能にケース２に取り付けられて構成される。
【０００９】
キャリッジ機構３１は、インクを吐出する印刷ヘッド３４を搭載したキャリッジ３５と、キャリッジガイド手段３６と、図外のキャリッジ駆動機構とを備える。
キャリッジガイド手段３６は、例えば、キャリッジ３５をガイドする案内軸３７及びフレーム３８により形成され、キャリッジ３５は、案内軸３７及びフレーム３８に沿って往復移動可能なように構成される。例えば、フレーム３８はケース２内の底面６に固定されており、案内軸３７の両端がフレーム３８に固定されている。
図示しないが、キャリッジ駆動機構は、フレーム３８に固定されたキャリッジ駆動用のモーターと、モーター軸に固定された駆動プーリーと、キャリッジ支持フレームに回転可能に取付けられた従動プーリーと、駆動プーリーと従動プーリーとに掛け渡されて、かつ、キャリッジ３５に連結されたタイミングベルトとを備える。
印刷ヘッド３４には、キャリッジ３５に着脱可能に装着される図外のインクカートリッジ、又は、キャリッジ３５外に装着される図外のインクカートリッジからのインクが供給される。
キャリッジ駆動用のモーターにより駆動プーリーが回転し、キャリッジ３５が取付けられたタイミングベルトのベルト部分が駆動プーリーと従動プーリーとの間の所定領域を往復移動することにより、キャリッジ３５が所定領域を往復移動可能に構成される。
【００１０】
開閉体３２の一例としては、例えば自動給紙機構（ＡＤＦ）付きのスキャナー部を備えた開閉体、スキャナー部の原稿載置部を開閉する開閉体等である。
【００１１】
プリンター３０の図外の制御手段が、図外の搬送手段に図外の紙等の印刷対象物をケース２内に取り込ませる動作を行わせるとともにキャリッジ駆動機構にキャリッジ３５の移動動作を行わせ、かつ、印刷対象物に印刷を行うよう印刷ヘッド３４を制御する。
【００１２】
図１；２に示すように、脚部付きケース１は、ケース（筐体）２と、脚部３と、脚部３の状態を設定する脚部設定手段４とを備える。
【００１３】
ケース２は、例えば、合成樹脂により形成され、内部には、上述したようにプリンター機能構成部品が取付けられる。ケース２には、開閉体３２がヒンジ３３を介して開閉可能に取り付けられている。
さらに、ケース２は、ケース２の下面５とケース２内の底面６とを貫通するように形成された剛脚出入用貫通孔７を備える。
【００１４】
前記脚部３は、剛脚８と、剛脚よりも剛性の低い柔脚９とを備える。
剛脚８は、硬質合成樹脂、硬質ゴム、金属等の剛性の高い材料により形成され、例えば、図２（ｂ）に示すように、印刷ヘッド３４の移動経路の下の位置３９に位置するように少なくとも１つ設けられる。剛脚８は、少なくとも、印刷ヘッド３４のホームポジションと呼ばれる非印刷位置の真下位置４０に位置するように設けられることが好ましい。より好ましくは、インク交換時にキャリッジ３５が停止する際の印刷ヘッド３４の位置の真下位置４１にも設けられることが好ましい。即ち、ケース２の下面５において印刷ヘッド３４の非印刷時の停止位置の下に位置する個所に剛脚８を設けることが好ましい。
剛脚８は、例えば、中心軸線が一致する同軸状の下部小径柱体部１０と上部大径部１１とを備えた構成に形成され、押圧面となる後述の傾斜板部２４の下面２４ｂと接触する受圧面となる上部大径部１１の上面部１１ａは例えば球面に形成される。下部小径柱体部１０と上部大径部１１との境界に位置する段差面１２は、例えば、下部小径柱体部１０の上端縁の周囲を取り囲む環状面により形成される。段差面１２は、剛脚８を形成する下部小径柱体部１０及び上部大径部１１の中心軸線と直交する平面に形成される。例えば、剛脚出入用貫通孔７が円形孔であれば、下部小径柱体部１０が円柱により形成されて当該円柱の円径寸法は剛脚出入用貫通孔７の円径寸法よりも小さい寸法（例えば、数ｍｍ程度小さい寸法）に形成され、かつ、上部大径部１１が半球に形成されて当該半球の直径寸法は剛脚出入用貫通孔７の円径寸法よりも大きい寸法（例えば、数ｃｍ程度大きい寸法）に形成される。この場合、半球の球面が上部大径部１１の上面部１１ａを形成し、かつ、半球の平面の中央部に下部小径柱体部１０の一端が位置されて半球の平面の周縁面である環状面が段差面１２を形成する。尚、後述するように、段差面１２とケース２内の底面６とが接触した場合に、剛脚８の下面８ａとなる下部小径柱体部１０の下面と設置台等の設置部１３とが接触するように、下部小径柱体部１０の高さ寸法が設定される。
剛脚８は、脚部設定手段４の作動によって、剛脚出入用貫通孔７を介してケース２の下面５よりもケース２の外側に突出する状態と、ケース２の内側に位置されて下面５よりもケース２の外側に突出しない状態とに可変可能に設定される。
柔脚９は、剛脚８よりも柔らかい材料、例えば、ゴムのような弾性部材により構成され、ケース２の下面５に固定される。例えば、図２（ｂ）に示すように、ケース２の矩形状の下面５の４つの角隅部５ａにそれぞれ柔脚９が設けられる。
【００１５】
脚部設定手段４は、前記剛脚８を、前記ケース２の下面５よりもケース２の外側に突出する状態と、前記ケース２の内側に位置されて下面５よりもケース２の外側に突出しない状態とに設定する手段である。
【００１６】
脚部設定手段４は、上述した剛脚出入用貫通孔７と、剛脚引張手段１５と、剛脚設定手段１６と、押圧手段１７と、遅延設定手段１８とを備える。
【００１７】
剛脚引張手段１５は、剛脚８をケース２の下面５よりもケース２の外側に突出させない剛脚非動作状態に保持する手段である。
即ち、剛脚８は、ケース２の下面５よりもケース２の外側に突出しないように剛脚引張手段１５の一例としての引張りばねにより保持されている。例えば、引張りばねの一端がケース２に固定された支持部１５ａに連結され、引張りばねの他端が剛脚８に連結されている。剛脚８は、剛脚引張手段１５によって、剛脚８の中心軸線と剛脚出入用貫通孔７の中心軸線とが一致した状態に保持される。
【００１８】
剛脚設定手段１６は、剛脚８を剛脚引張手段１５に抗して押下げることにより、剛脚８の下面８ａが剛脚出入用貫通孔７を通過して設置部１３と接触し、かつ、剛脚８の一部である段差面１２がケース２内の底面６と接触する剛脚動作状態に剛脚８を設定する手段である。
剛脚設定手段１６は、例えば、段差が付けられた段差部材２０と、受板２１とを備える。
段差部材２０は、ケース２の下面５よりもケース２の外側に突出しないように剛脚引張手段１５で保持された剛脚８の上方に位置する上板部２２と、ケース２の下面５よりも下方に突出しないように剛脚引張手段１５で保持された剛脚８の上端よりも下方に位置する下板部２３と、上板部２２の他端と下板部２３の一端とを連結する傾斜板部２４とを備える。傾斜板部２４の傾斜は、下板部２３の一端から上板部２２の一端２２ａが位置する方向に向けて上がるように傾斜する傾斜である。即ち、下板部２３と上板部２２とが傾斜板部２４により連結されたことで下板部２３と上板部２２との間に傾斜板部２４による段差が設けられた構成である。段差部材２０は、剛脚８の上面部１１ａに接触する上板部２２の下面２２ｂと下板部２３の下面２３ｂとが水平を維持しながら移動できるように図外のガイドにより移動可能に保持されている。
受板２１は、下板部２３の他端２３ａに連結されて例えば上方に垂直に延長する板により形成される。
【００１９】
押圧手段１７は、開閉体３２の開閉に伴ってヒンジ３３の回転中心を中心として回転するように開閉体３２に設けられ、ヒンジ３３の回転中心を中心として回転することにより受板２１を押圧する部材である。即ち、押圧手段１７は、ケース２に設けられた開閉体３２の開動作に連動して剛脚設定手段１６の受板２１を押圧することにより剛脚８が剛脚動作状態となるように剛脚設定手段１６を動作させる手段である。
【００２０】
遅延設定手段１８は、剛脚設定手段１６の上板部２２の一端２２ａと連結され、開閉体３２が開いた状態からの開閉体３２の閉動作の開始から所定時間の間、剛脚８が剛脚動作状態を維持するように剛脚設定手段１６の状態を維持させる手段である。
遅延設定手段１８としては、例えば、ばね２５とばね２５の動きを減衰させるダンパー２６とを備えた構成のものを用いる。
【００２１】
脚部付きケース１の動作を説明する。
初期状態（開閉体３２が閉じられ、かつ、遅延設定手段１８による遅延時間が経過した状態）では、剛脚８は、ケース２の下面５よりもケース２の外側に突出しないように剛脚引張手段１５で保持された状態である。この初期状態においては、剛脚８の上方に上板部２２が位置された状態である（図３（ａ）；（ｅ）参照）。よって、初期状態においては、脚部３として柔脚９のみがケース２の下面５より突出している状態であるので、プリンター３０を設置部１３上に落下させた場合等に柔脚９が設置部１３から受ける力は柔脚９の弾性により吸収され、落下時の衝撃がケース２やフレーム３８（図１参照）や案内軸３７を介してキャリッジ３５及び印刷ヘッド３４に伝達されるのを防止できるので、印刷ヘッド３４のドット抜けを防止できる。
【００２２】
また、図３（ａ）に示すように開閉体３２が閉じられた状態で柔脚９と設置部１３と接触させてプリンター３０が設置部１３に設置された初期状態から、開閉体３２を開いていくことにより、開閉体３２の開動作に連動して押圧手段１７が回転し、押圧手段１７が剛脚設定手段１６を押すと、剛脚設定手段１６がヒンジ３３の設けられているケース２の後壁２ｆと対向するケース２の前壁２ｇ側に向けて水平方向に移動する。この際、剛脚設定手段１６により遅延設定手段１８に加えられる力が遅延設定手段１８に蓄えられていく。そして、剛脚設定手段１６の傾斜板部２４の下面２４ｂ（押圧面）と剛脚８の上面部１１ａ（受圧面）とが接触することにより、剛脚８が下方に押圧され剛脚８が剛脚引張手段１５に抗して下方に移動する。即ち、剛脚８の下面８ａが剛脚出入用貫通孔７を通過してケース２の下面５より下方に突出する。そして、開閉体３２を最大開状態まで開く前の段階で、下板部２３の下面２３ｂと剛脚８の上面部１１ａとが接触し（図３（ｂ）参照）、剛脚８は、剛脚８の下面８ａと設置部１３とが接触するととともに段差面１２とケース２内の底面６とが接触した剛脚動作状態となる。つまり、図３（ｂ）に示すように開閉体３２を開くことができる最大開状態まで開いた際には、剛脚８は、既に剛脚動作状態となっているように構成される。よって、開閉体３２を最大開状態まで開いた際にケース２に加わる力（衝撃）を、剛脚８を介して設置部１３に逃すことができてケース２の変形を抑えることができるので、ケース２が変形してしまうことによって印刷ヘッド３４が動いてしまうことを防止でき、印刷ヘッド３４のドット抜けを防止できる。
【００２３】
また、図３（ｃ）に示すように開閉体３２を最大開状態から閉じていくと、押圧手段１７がケース２の後壁２ｆ側に回転して剛脚設定手段１６から離れる方向に移動するが、剛脚設定手段１６は遅延設定手段１８の作用によって遅れてケース２の後壁２ｆ側に戻る。そして、図３（ｄ）；（ｅ）に示すように開閉体３２が完全に閉じられてから遅延設定手段１８で設定された遅延時間が経過したならば、剛脚設定手段１６の下板部２３が剛脚８の上面部１１ａを通過するので、剛脚８が剛脚引張手段１５により上方に引き上げられてケース２の下面５よりも下方に突出しないように剛脚引張手段１５で保持された状態となり、剛脚設定手段１６の受板２１が押圧手段１７と接触する初期状態に戻る。
即ち、脚部設定手段４は、開閉体３２が開かれてから開閉体３２が閉じられた後、遅延設定手段１８で設定された遅延時間が経過するまでの間、剛脚８を剛脚動作状態に設定する手段である。
よって、開閉体３２を閉じた際にケース２に加わる力を、剛脚８を介して設置部１３に逃すことができてケース２の変形を抑えることができるので、ケース２が変形してしまうことによって印刷ヘッド３４が動いてしまうことを防止でき、印刷ヘッド３４のドット抜けを防止できる。
【００２４】
実施形態１のプリンター３０は、脚部付きケース１を備えるので、例えば、プリンター３０を設置部１３に設置する際にプリンター３０を落下させてしまった場合等、柔脚９により落下時の衝撃を吸収できるので、設置部１３から受ける力がケース２やフレーム３８や案内軸３７等を介して印刷ヘッド３４に伝達されるのを防止でき、印刷ヘッド３４のドット抜けを防止できるようになる。
また、ケース２が設置部１３に設置された状態において、自動給紙機構（ＡＤＦ）付きのスキャナー部を備えた比較的重い開閉体等の開閉体３２の開閉時にケース２に加わる力を剛脚８を介して設置部１３に逃すことができてケース２の変形を抑えることができるので、ケース２が変形してしまうことによって印刷ヘッド３４が動いてしまうことを防止でき、印刷ヘッド３４のドット抜けを防止できるようになる。
特に実施形態１では、剛脚８を、印刷ヘッド３４の移動経路の下の位置３９に位置するように少なくとも１つ設けたので、開閉体３２の開閉時にケース２に加わる力を移動経路を移動する印刷ヘッド３４の位置に近い位置において剛脚８を介して設置部１３に逃すことができ、印刷ヘッド３４の位置に近い位置のケース２の変形を抑えることができるので、印刷ヘッド３４が動いてしまうことをより効果的に防止できるようになり、印刷ヘッド３４のドット抜け防止効果を高めることができる。
さらに、剛脚８を、ケース２の下面５において印刷ヘッド３４の非印刷時の停止位置の下に位置する個所、例えば、印刷ヘッド３４が停止するホームポジションの真下位置４０やインク交換時に印刷ヘッド３４が停止する位置の真下位置４１に設ければ、印刷ヘッド３４が停止している時に開閉体３２を開閉した場合に、開閉体３２の開閉時にケース２に加わる力を停止している印刷ヘッド３４の位置に近い位置において剛脚８を介して設置部１３に逃すことができ、印刷ヘッド３４の位置に近い位置のケース２の変形を抑えることができるので、印刷ヘッド３４が動いてしまうことをより効果的に防止できるようになり、印刷ヘッド３４のドット抜け防止効果を高めることができる。
従って、特許文献１のプリンターと比べて、ドット抜け防止効果に優れたプリンターを得ることができる。
【００２５】
尚、剛脚８の上面部１１ａに傾斜面（ケース２の後壁２ｆからケース２の前壁２ｇに向けて立ち上がる傾斜面）を設け、下板部２３の一端が当該傾斜面に接触しながら移動することで剛脚８を下方に移動させる構成としてもよい。この場合、上板部２２の他端と下板部２３の一端とがこれら上板部２２及び下板部２３と垂直な板により連結された段差部材２０を用いることができる。
【００２６】
実施形態２
実施形態１では、開閉体３２の開閉と連動する押圧手段１７を設けたが、電気制御によって、剛脚８をケース２の下面５よりもケースの外側に突出する状態とケース２の内側に位置されてケース２の下面５よりもケース２の外側に突出しない状態とに設定する構成としてもよい。
例えば、図示しないが、開閉体３２の開閉を検出するセンサと、押圧手段と、センサから開閉体３２が開いたことを示す信号を入力した場合に、押圧手段を起動させて剛脚を剛脚動作状態に設定する制御手段を備えた構成としてもよい。
【００２７】
実施形態３
実施形態１では、水平方向に移動して剛脚８に接触する剛脚設定手段１６を設けたが、垂直方向に移動したり、回転運動する剛脚設定手段を設け、かつ、開閉体３２に連動して当該剛脚設定手段を押圧することにより剛脚設定手段を垂直方向に移動させたり回転運動させるような押圧手段を設けてもよい。
【００２８】
実施形態４
実施形態１では、開閉体３２の開閉と連動する押圧手段１７を設けたが、剛脚８をケース２の下面５よりもケースの外側に突出する状態とケース２の内側に位置されてケース２の下面５よりもケース２の外側に突出しない状態とに設定するための切替操作レバーのような操作部材を設けて、この操作部材を手動で操作する構成としてもよい。
【００２９】
本発明の脚部付きケース１は、内部に機械部品や電子部品等の振動を嫌う部品が取付けられるケースに使用できて振動抑制効果を発揮する。例えば、上述したプリンター、あるいは、ファクシミリ、複写機、スキャナー装置等の電子機器のケースとして使用できて振動抑制効果を発揮し、脚部付きケース１が落下した場合や脚部付きケース１が設置部１３に設置された状態においてケース２に加わる力が、ケース２内の部品に伝達されにくくなるという効果が得られる。
【符号の説明】
【００３０】
１  脚部付きケース、２  ケース、３  脚部、４  脚部設定手段、
５  ケースの下面、６  ケース内の底面、７  剛脚出入用貫通孔、８  剛脚、９  柔脚、１５  剛脚引張手段、１６  剛脚設定手段、１７  押圧手段、
１８  遅延設定手段、３０  プリンター、３２  開閉体、３４  印刷ヘッド。
【図１】
2012166416.tif 000003
【図２】
2012166416.tif 000004
【図３】
2012166416.tif 000005